(57)【特許請求の範囲】
【請求項１】
アンテナで受信された放送信号から所定のチャンネルの映像信号を選局するチューナを複数備え、当該映像信号の記録・再生を行う記録再生装置において、
チューナが選局するチャンネルを選択するチャンネル選択手段と、
前記チャンネル選択手段により選択されたチャンネルが、前記いずれかのチューナに選局されているか否かを判定するチャンネル判定手段と、
前記チャンネル判定手段により、前記チャンネル選択手段により選択されたチャンネルが、前記チューナのいずれにも選局されていないと判定された場合には、所定の条件に基づいて当該チャンネルを選局するチューナを決定するチューナ決定手段と、
前記チューナ決定手段により決定されたチューナが選局するチャンネルを、チャンネル選択手段により選択されたチャンネルに変更するチャンネル変更手段と、
前記チャンネル選択手段により選択されたチャンネルの選局頻度を算出する選局頻度算出手段と、
を備え、
前記チューナ決定手段は、前記複数のチューナにより選局されているチャンネルの中から、前記選局頻度算出手段により算出された選局頻度が、最も低いチャンネルを選択し、当該チャンネルを受信しているチューナに決定する選局頻度チューナ決定手段を有することを特徴とする記録再生装置。
【請求項２】
アンテナで受信された放送信号から所定のチャンネルの映像信号を選局するチューナを複数備え、当該映像信号の記録・再生を行う記録再生装置において、
チューナが選局するチャンネルを選択するチャンネル選択手段と、
前記チャンネル選択手段により選択されたチャンネルが、前記いずれかのチューナに選局されているか否かを判定するチャンネル判定手段と、
前記チャンネル判定手段により、前記チャンネル選択手段により選択されたチャンネルが、前記チューナのいずれにも選局されていないと判定された場合には、所定の条件に基づいて当該チャンネルを選局するチューナを決定するチューナ決定手段と、
前記チューナ決定手段により決定されたチューナが選局するチャンネルを、チャンネル選択手段により選択されたチャンネルに変更するチャンネル変更手段と、
前記チャンネル選択手段によりチャンネルが選択され始めた時刻を選択時刻として記憶する選択時刻記憶手段と、
を備え、
前記チューナ決定手段は、前記複数のチューナにより選局されているチャンネルの中から、前記選択時刻記憶手段により記憶された選択時刻が、最も古いチャンネルを選択し、当該チャンネルを受信しているチューナに決定する選局時刻チューナ決定手段を有することを特徴とする記録再生装置。
【請求項３】
選択されている一のチャンネルから他のチャンネルが前記チャンネル選択手段により選択された場合、一のチャンネル及び他のチャンネルが選択された時刻を記憶するレジュームポイント記憶手段と、
少なくとも、他のチャンネルが選択された時刻から、一のチャンネルの映像信号を記録する映像記録手段と、
前記映像記録手段が映像信号を記録中に所定の操作がなされた場合に、前記映像記録手段に記録されている映像信号を、前記レジュームポイント記憶手段に記憶されている時刻に遡って再生するレジュームポイント再生手段と、
を更に備えることを特徴とする請求項１又は２に記載の記録再生装置。
【請求項４】
前記レジュームポイント再生手段は、前記チャンネル選択手段により選択されたチャンネルが前記記憶手段に記憶されたチャンネルと同じ場合に、前記映像記録手段に記録されている映像データを、前記レジュームポイント記憶手段に記憶されている時刻に遡って再生する同一チャンネルレジュームポイント再生手段を更に備えることを特徴とする請求項３に記載の記録再生装置。
【請求項５】
チューナ毎に受信するチャンネルを記憶するチューナ選局チャンネル記憶手段と、
前記チューナ選局チャンネル記憶手段に記憶されたチャンネルに基づいて各チューナの選局チャンネルを設定するチューナチャンネル設定手段と、
を更に備えることを特徴とする請求項１から４の何れか一項に記載の記録再生装置。
【請求項６】
アンテナで受信された放送信号から所定のチャンネルの映像信号を選局する複数のチューナを制御し、当該映像信号の記録・再生を制御するコンピュータにおいて、
チューナが選局するチャンネルを選択するチャンネル選択機能と、
前記チャンネル選択機能により選択されたチャンネルが、前記いずれかのチューナに選局されているか否かを判定するチャンネル判定機能と、
前記チャンネル判定機能により、前記チャンネル選択機能により選択されたチャンネルが、前記複数のチューナのいずれにも選局されていないと判定された場合には、所定の条件に基づいて当該チャンネルを選局するチューナを決定するチューナ決定機能と、
前記チューナ決定機能により決定されたチューナが選局するチャンネルを、チャンネル選択機能により選択されたチャンネルに変更する制御を行うチャンネル変更制御機能と、
前記チャンネル選択機能により選択されたチャンネルの選局頻度を算出する選局頻度算出機能と、
を実現し、
前記チューナ決定機能は、前記複数のチューナにより選局されているチャンネルの中から、前記選局頻度算出機能により算出された選局頻度が、最も低いチャンネルを選択し、当該チャンネルを受信しているチューナに決定する選局頻度チューナ決定機能を更に実現することを特徴とするプログラム。
【請求項７】
アンテナで受信された放送信号から所定のチャンネルの映像信号を選局する複数のチューナを制御し、当該映像信号の記録・再生を制御するコンピュータにおいて、
チューナが選局するチャンネルを選択するチャンネル選択機能と、
前記チャンネル選択機能により選択されたチャンネルが、前記いずれかのチューナに選局されているか否かを判定するチャンネル判定機能と、
前記チャンネル判定機能により、前記チャンネル選択機能により選択されたチャンネルが、前記複数のチューナのいずれにも選局されていないと判定された場合には、所定の条件に基づいて当該チャンネルを選局するチューナを決定するチューナ決定機能と、
前記チューナ決定機能により決定されたチューナが選局するチャンネルを、チャンネル選択機能により選択されたチャンネルに変更する制御を行うチャンネル変更制御機能と、
前記チャンネル選択機能によりチャンネルが選択され始めた時刻を選択時刻として記憶する選択時刻記憶機能と、
を実現し、
前記チューナ決定機能は、前記複数のチューナにより選局されているチャンネルの中から、前記選択時刻記憶機能により記憶された選択時刻が、最も古いチャンネルを選択し、当該チャンネルを受信しているチューナに決定する選局時刻チューナ決定機能を更に実現することを特徴とするプログラム。
【発明の詳細な説明】
【技術分野】
【０００１】
本発明は、アンテナで受信された放送信号から所定のチャンネルの映像信号を抽出するチューナを複数備え、当該映像信号の記録・再生を行う記録再生装置等に関する。
【背景技術】
【０００２】
近年、地上波デジタル放送や、ケーブルテレビ放送等のサービスにおいては、多くの番組が放送局から提供され、それらの番組は多チャンネルとして提供されている。また、記録再生装置においては、ＤＶＤディスクやハードディスクドライブをはじめとする大容量の記憶装置を内蔵する装置が増えており、より多くの番組を記録できるようになっている。そして、大容量の記憶装置に多くの番組を複数受信して記録する為に、記録再生装置内に、複数のチューナを内蔵する装置が知られている（例えば、特許文献１参照）。例えば、チューナを２つ備えることにより、一方のチューナでＡ番組を、他方のチューナでＢ番組を記録するといったことが可能となる。さらに、一方のチューナでＡ番組を記録している最中に他方のチューナでＢ番組を視聴するといったことも可能となる。
【特許文献１】特開２０００−１１５７３９号公報
【０００３】
ここで、従来の記録再生装置について図を使って説明する。図１２は、従来のデジタル記録再生装置９における構成の一例を示す図である。
【０００４】
デジタル記録再生装置９は、ＭＰＵ（Micro Processing Unit）１０と、第１チューナ１２ａ、第２チューナ１２ｂ及び第３チューナ１２ｃを備えるチューナ部１２と、ＭＵＸ（multiplexer）１４と、ＡＶデコーダ部２０と、記録部２２と、予約管理部９０とを備えており、チューナ部１２に外部アンテナＡＮＴが接続されて構成されている。
【０００５】
チューナ部１２は、外部アンテナＡＮＴから受信された放送信号から、各チューナに設定されているチャンネルに対応する放送信号を選局（抽出）し、ＭＵＸ１４に出力する回路である。ここで、図１２の場合、チューナ部が３つのチューナを備えることにより、３つのチャンネル（番組）に対応する放送信号を同時に選局することができる。例えば、第１チューナ１２ａは、「Ａ−ｃｈ」を選局するように設定されていると、外部アンテナＡＮＴから「Ａ−ｃｈ」に対応する放送信号を抽出してＭＵＸ１４に出力する。なお、このチューナが選局しているチャンネルのことを「選局チャンネル」という。
【０００６】
ＭＵＸ１４は、チューナ部１２の各チューナから入力された放送信号を多重化し、放送データとして、ＭＰＵ１０に出力する機能部である。
【０００７】
ＭＰＵ１０は、入力される指示に応じて所定のプログラムに基づいた処理を実行し、各機能部への指示やデータの転送を行う。また、ＭＰＵ１０は、ＭＵＸ１４から入力された放送データからストリームデータを生成ししＡＶデコーダ部２０、記録部２２に出力する。
【０００８】
ＡＶデコーダ部２０は、入力されたストリームデータから映像信号をデコードするとともに、映像信号に同期して音声信号のデコードを行う機能部である。そして、ＡＶデコーダ部２０は、デコードされた映像信号及び音声信号を映像出力部、音声出力部（不図示）に出力し、映像及び音声の出力がされる。
【０００９】
記録部２２は、ＭＰＵ１０から出力されたストリームデータを記録する機能部である。また、記録部２２に記録されているストリームデータは、ＭＰＵ１０により読み出され、ＡＶデコーダ部２０に出力される。ここで、記録部２２は、各種記録装置から構成されており、例えば、ハードディスクドライブや、ＤＶＤドライブ、ＳＤメモリカード、コンパクトフラッシュ（登録商標）等の何れかの記録装置により構成されている。
【００１０】
予約管理部９０は、いわゆる予約処理を行う機能部であり、所定の予約日時になると、受信された放送（番組）記録部２２に記録させたり、ＡＶデコーダ部２０に出力させたりする処理を行う。例えば、記録する番組の開始日時、終了日時、チャンネル、選局するチューナ、記録モード等を予約情報として管理し、当該管理された予約情報に基づいて番組を受信する。そして、受信した番組に対応するストリームデータを記録部２２に記憶させる指示を、ＭＰＵ１０に出力する。
【００１１】
このように、従来のデジタル記録再生装置９は、外部アンテナＡＮＴから入力された放送信号のうちチューナ部１２において選局された放送信号がＭＵＸ１４に入力される。そして、ＭＵＸ１４は、放送信号を多重化して放送データとしてＭＰＵ１０に出力する。ＭＰＵ１０は、入力された放送データからストリームデータを生成し、ＡＶデコーダ部２０又は／及び記録部２２に出力する。したがって、複数のチャンネルに対応する番組を出力・記録することができる。
【発明の開示】
【発明が解決しようとする課題】
【００１２】
ここで、従来の記録再生装置において、番組を記録又は視聴する際に、どのチューナを使用して記録又は視聴するかはユーザが選択することが一般的であった。例えば、第１チューナで「Ａ−ｃｈ」を視聴しながら記録しているときに、「Ｂ−ｃｈ」を視聴したい場合を考える。通常、視聴に用いられるチューナは１つであり、「Ａ−ｃｈ」を視聴していることから、第１チューナが選択されている（この、ユーザが視聴する為に選択されているチューナのことを、以後「選択チューナ」という。）。
【００１３】
そこで、「Ｂ−ｃｈ」を視聴する場合、「Ａ−ｃｈ」を記録したままにするために選択チューナを第１チューナから第２チューナに切り替える指示・操作を行う。そして、選択チューナを第２チューナに切り替えた後に、「Ｂ−ｃｈ」を選局して視聴しなければならなかった。
【００１４】
したがって、選択チューナを切り替える操作をしなかった場合、第１チューナで「Ａ−ｃｈ」を記録中に、「Ｂ−ｃｈ」が選局されてしまうと、記録されている番組も「Ｂ−ｃｈ」になってしまい、「Ａ−ｃｈ」の記録が中断されてしまうといった問題があった。
【００１５】
具体的に図１３を用いて説明する。図１３は、一例として第１チューナ１２ａ及び第２チューナ１２ｂが受信している番組の状態を模式的に示した図である。横軸には時間が取られており、ある時間帯（例えば、１時台）の１分から２７分までの様子が示されている。図１３を参照すると、例えば時刻「１」分のとき、第１チューナ１２ａは「Ａ−ｃｈ」を受信しており、第２チューナ１２ｂは「Ｂ−ｃｈ」を選局している。また、第１チューナ１２ａが選択チューナであることを示す為に、網がけ表示がなされている。
【００１６】
このときに、時刻「７」分から時刻「１５」分までの間、ユーザが視聴するチャンネルを「Ｘ−ｃｈ」に切り替える場合を考える。この場合、選択チューナを第１チューナ１２ａから第２チューナ１２ｂに切り替える指示・操作を行わず、第１チューナ１２ａの選局チャンネルを「Ｘ−ｃｈ」に切り替えた状態を図１３において示している。したがって、第１チューナ１２ａの選局チャンネルは時刻「７」分から時刻「１５」分間までの間は「Ｘ−ｃｈ」が選局され記録されている。したがって、この区間、「Ａ−ｃｈ」の記録は中断されることとなってしまう。
【００１７】
さらに、予約機能を用いて番組を記録する場合、予約時においてもユーザはどのチューナを選択するかを指示する必要があった。したがって、チューナを上手く選択しない場合、番組の最後や最初が欠落してしまうといった問題が生じる場合があった。
【００１８】
一般的に、予約機能を利用した場合、前後に数秒の予備時間が確保されて記録されることとなる。この場合、前の番組の予約終了時刻と、記録する予定のある番組の予定開始時刻が同一である場合、予備時間の部分が重なることから番組の一部が記録されないといったこととなる。
【００１９】
具体的に、図１４を用いて説明する。図１４は、図１３と同様に第１チューナ１２ａ及び第２チューナ１２ｂが選局している番組の状態を模式的に示した図である。ここで、「Ａ−ｃｈ」は予約終了時刻を時刻Ｔ９２として予約されている。また、「Ｂ−ｃｈ」は予約開始時刻を時刻Ｔ９２として予約されている。
【００２０】
したがって、「Ａ−ｃｈ」を予約機能を利用して記録する場合、予約終了時に一定時間（時刻Ｔ９２から時刻Ｔ９４まで）を予備時間として併せて記録する。また、「Ｂ−ｃｈ」を予約機能を利用して記録する場合、予約開始前に一定時間（時刻Ｔ９０から時刻Ｔ９２まで）を予備時間として併せて記録する。この際、予約機能が「Ａ−ｃｈ」の記録を優先させた場合、時刻Ｔ９４まで「Ａ−ｃｈ」が記録されることとなるため、「Ｂ−ｃｈ」は時刻Ｔ９２から時刻Ｔ９４まで記録されないこととなる。また、「Ｂ−ｃｈ」の記録を優先させた場合、時刻Ｔ９０から「Ｂ−ｃｈ」が記録されることとなるため、「Ａ−ｃｈ」は、時刻Ｔ９０から時刻Ｔ９２まで記録されないこととなってしまう。このように、予約時刻は重なっていないのに、番組の一部が記録されないといった不都合が生じてしまう場合があった。
【００２１】
このように、チューナを複数備えることによりユーザがより多くの番組を記録できるが、複数あるチューナのうち、どれを用いて記録・視聴するかはユーザ任せであるため、管理が煩雑となってしまう問題があった。
【００２２】
そこで、本発明が目的とするところは、上述した課題に鑑み、複数のチューナを備える記録再生装置等において、ユーザに複数のチューナの状態を管理させるのではなく、各チューナの選局状態や過去のユーザの操作履歴などを元に最も効率的にチューナを選択することにより、ユーザにとって使いやすい記録再生装置等を提供する事である。
【課題を解決するための手段】
【００２３】
上述した課題を解決するために、本発明の記録再生装置は、
アンテナで受信された放送信号から所定のチャンネルの映像信号を選局するチューナを複数備え、当該映像信号の記録・再生を行う記録再生装置において、
チューナが選局するチャンネルを選択するチャンネル選択手段と、
前記チャンネル選択手段により選択されたチャンネルが、前記いずれかのチューナに選局されているか否かを判定するチャンネル判定手段と、
前記チャンネル判定手段により、前記チャンネル選択手段により選択されたチャンネルが、前記チューナのいずれにも選局されていないと判定された場合には、所定の条件に基づいて当該チャンネルを選局するチューナを決定するチューナ決定手段と、
前記チューナ決定手段により決定されたチューナが選局するチャンネルを、チャンネル選択手段により選択されたチャンネルに変更するチャンネル変更手段と、
前記チャンネル選択手段により選択されたチャンネルの選局頻度を算出する選局頻度算出手段と、
を備え、
前記チューナ決定手段は、前記複数のチューナにより選局されているチャンネルの中から、前記選局頻度算出手段により算出された選局頻度が、最も低いチャンネルを選択し、当該チャンネルを受信しているチューナに決定する選局頻度チューナ決定手段を有することを特徴とする。
【００２４】
本発明の記録再生装置は、
アンテナで受信された放送信号から所定のチャンネルの映像信号を選局するチューナを複数備え、当該映像信号の記録・再生を行う記録再生装置において、
チューナが選局するチャンネルを選択するチャンネル選択手段と、
前記チャンネル選択手段により選択されたチャンネルが、前記いずれかのチューナに選局されているか否かを判定するチャンネル判定手段と、
前記チャンネル判定手段により、前記チャンネル選択手段により選択されたチャンネルが、前記チューナのいずれにも選局されていないと判定された場合には、所定の条件に基づいて当該チャンネルを選局するチューナを決定するチューナ決定手段と、
前記チューナ決定手段により決定されたチューナが選局するチャンネルを、チャンネル選択手段により選択されたチャンネルに変更するチャンネル変更手段と、
前記チャンネル選択手段によりチャンネルが選択され始めた時刻を選択時刻として記憶する選択時刻記憶手段と、
を備え、
前記チューナ決定手段は、前記複数のチューナにより選局されているチャンネルの中から、前記選択時刻記憶手段により記憶された選択時刻が、最も古いチャンネルを選択し、当該チャンネルを受信しているチューナに決定する選局時刻チューナ決定手段を有することを特徴とする。
【００２５】
また、本発明の記録再生装置は、
選択されている一のチャンネルから他のチャンネルが前記チャンネル選択手段により選択された場合、一のチャンネル及び他のチャンネルが選択された時刻を記憶するレジュームポイント記憶手段と、
少なくとも、他のチャンネルが選択された時刻から、一のチャンネルの映像信号を記録する映像記録手段と、
前記映像記録手段が映像信号を記録中に所定の操作がなされた場合に、前記映像記録手段に記録されている映像信号を、前記レジュームポイント記憶手段に記憶されている時刻に遡って再生するレジュームポイント再生手段と、
を更に備えることを特徴とする。
【００２６】
また、本発明の記録再生装置において、
前記レジュームポイント再生手段は、前記チャンネル選択手段により選択されたチャンネルが前記記憶手段に記憶されたチャンネルと同じ場合に、前記映像記録手段に記録されている映像データを、前記レジュームポイント記憶手段に記憶されている時刻に遡って再生する同一チャンネルレジュームポイント再生手段を更に備えることを特徴とする。
【００２７】
また、本発明の記録再生装置において、
チューナ毎に受信するチャンネルを記憶するチューナ選局チャンネル記憶手段と、
前記チューナ選局チャンネル記憶手段に記憶されたチャンネルに基づいて各チューナの選局チャンネルを設定するチューナチャンネル設定手段と、
を更に備えることを特徴とする。
【００２８】
本発明のプログラムは、
アンテナで受信された放送信号から所定のチャンネルの映像信号を選局する複数のチューナを制御し、当該映像信号の記録・再生を制御するコンピュータにおいて、
チューナが選局するチャンネルを選択するチャンネル選択機能と、
前記チャンネル選択機能により選択されたチャンネルが、前記いずれかのチューナに選局されているか否かを判定するチャンネル判定機能と、
前記チャンネル判定機能により、前記チャンネル選択機能により選択されたチャンネルが、前記複数のチューナのいずれにも選局されていないと判定された場合には、所定の条件に基づいて当該チャンネルを選局するチューナを決定するチューナ決定機能と、
前記チューナ決定機能により決定されたチューナが選局するチャンネルを、チャンネル選択機能により選択されたチャンネルに変更する制御を行うチャンネル変更制御機能と、
前記チャンネル選択機能により選択されたチャンネルの選局頻度を算出する選局頻度算出機能と、
を実現し、
前記チューナ決定機能は、前記複数のチューナにより選局されているチャンネルの中から、前記選局頻度算出機能により算出された選局頻度が、最も低いチャンネルを選択し、当該チャンネルを受信しているチューナに決定する選局頻度チューナ決定機能を更に実現することを特徴とする。
【００２９】
本発明のプログラムは、
アンテナで受信された放送信号から所定のチャンネルの映像信号を選局する複数のチューナを制御し、当該映像信号の記録・再生を制御するコンピュータにおいて、
チューナが選局するチャンネルを選択するチャンネル選択機能と、
前記チャンネル選択機能により選択されたチャンネルが、前記いずれかのチューナに選局されているか否かを判定するチャンネル判定機能と、
前記チャンネル判定機能により、前記チャンネル選択機能により選択されたチャンネルが、前記複数のチューナのいずれにも選局されていないと判定された場合には、所定の条件に基づいて当該チャンネルを選局するチューナを決定するチューナ決定機能と、
前記チューナ決定機能により決定されたチューナが選局するチャンネルを、チャンネル選択機能により選択されたチャンネルに変更する制御を行うチャンネル変更制御機能と、
前記チャンネル選択機能によりチャンネルが選択され始めた時刻を選択時刻として記憶する選択時刻記憶機能と、
を実現し、
前記チューナ決定機能は、前記複数のチューナにより選局されているチャンネルの中から、前記選択時刻記憶機能により記憶された選択時刻が、最も古いチャンネルを選択し、当該チャンネルを受信しているチューナに決定する選局時刻チューナ決定機能を更に実現することを特徴とする。
【発明の効果】
【００３０】
第１の発明によれば、選択されたチャンネルが複数のチューナのいずれにも選局されていない場合には、所定の条件に基づいて当該チャンネルを選局するチューナを決定し、当該決定されたチューナが選局するチャンネルを変更することとなる。したがって、ユーザがチューナを複数備える記録再生装置において映像信号を記録・再生させる場合、どのチューナを利用するかを意識することなく、適切に映像信号を記録・再生することができるようになる。
【００３１】
第２の発明によれば、選択されたチャンネルの頻度に基づいて、選択されたチャンネルを選局するチューナを決定することとなる。したがって、選局頻度の低いチャンネルは新たにチャンネルに変更され、選局頻度の高いチャンネルは変わらず選局されているため、効率的にチャンネルを受信することができる。
【００３２】
第３の発明によれば、過去の選局回数又は選局時間に基づいて、選択されたチャンネルを選局するチューナを決定することができる。したがって、選局回数が少ないチャンネル又は選局時間が短いチャンネルからチャンネルが変更されることとなる。
【００３３】
第４の発明によれば、一のチャンネルから他のチャンネルが選択されると一のチャンネルの映像信号が記憶される。そして、所定の操作がなされると、記憶されている一のチャンネルの映像信号が、他のチャンネルが選択された時刻に遡って再生されることとなる。
【００３４】
第５の発明によれば、一のチャンネルから他のチャンネルが選択されると、一のチャンネルの映像信号が記憶される。そして、他のチャンネルから再度一のチャンネルが選択されると、記憶されている一のチャンネルの映像信号が、他のチャンネルが選択された時刻に遡って再生されることとなる。
【００３５】
第６の発明によれば、各チューナの選局チャンネルを設定する際に、記憶されたチャンネルに基づいて設定することができる。したがって、各チューナに対応するチャンネルを予め記憶しておくことにより、一括してチャンネルを設定することができるようになる。
【００３６】
第７の発明によれば、選択されたチャンネルが複数のチューナのいずれにも選局されていない場合には、所定の条件に基づいて当該チャンネルを選局するチューナを決定し、当該決定されたチューナが選局するチャンネルを変更する制御を行うこととなる。したがって、映像信号を記録・再生する制御を行わせる際に、どのチューナを利用するかを意識することなく、適切に映像信号を記録・再生することができるようになる。
【発明を実施するための最良の形態】
【００３７】
次に、図を参照して、本発明を記録再生装置の一種であるデジタル記録再生装置に適用した場合の実施の形態について図面を参照して詳細に説明するが、本発明が適用可能なものはこれに限定されるものではない。
【００３８】
ここで、デジタル記録再生装置は、放送局から放送された放送波（放送信号）に含まれる番組を抽出し、当該番組を記録・再生する装置である。
【００３９】
［１．構成］
図１は、デジタル記録再生装置１の構成を示すブロック図である。同図に示すように、デジタル記録再生装置１は、ＭＰＵ１０と、チューナ部１２と、ＭＵＸ１４と、チューナ選局管理部１６と、ＡＶデコーダ部２０と、記録部２２と、デフォルト選局設定部２４と、選局頻度管理部２６と、選局履歴管理部２８と、レジュームポイント管理部３０と、チューナ毎予約管理部３４とを備え、外部アンテナＡＮＴが接続されて構成されている。なお、上述した図１２の従来のデジタル記録再生装置９と同一の構成については同一の符号を付し、詳細な説明を省略する。
【００４０】
チューナ選局管理部１６は、ＭＰＵ１０から入力された信号に基づいて、チューナ部１２を構成する各チューナの選局チャンネルを管理する機能部である。例えば、ＭＰＵ１０から第１チューナの選局チャンネルを変更する指示がなされると、チューナ選局管理部１６は、第１チューナ１２ａに対して選局チャンネルを変更させる。
【００４１】
ＭＰＵ１０は、入力される指示に応じて所定のプログラムに基づいた処理を実行し、各機能部への指示やデータの転送を行う。また、本実施形態において、ＭＰＵ１０は、ＭＵＸ１４から入力された放送データを復調し、ストリームデータとしてＡＶデコーダ部２０、記録部２２に出力する。
【００４２】
デフォルト選局設定部２４は、チューナテーブル２４ａを記憶しており、電源投入時又はユーザからの操作指示に基づいて、各チューナの選局チャンネルを決定するデフォルト選局設定処理を実行する機能部である。ここで、チューナテーブル２４ａは、図２（ａ）に示すように、各チューナ（例えば、「１」）と、選局チャンネル（例えば、「Ａ−ｃｈ」）とを対応づけて記憶している。デフォルト選局設定部２４は、チューナテーブル２４ａから各チューナが選局するチャンネルを読み出し、各チューナの初期状態の選局チャンネルとして設定する処理を実行する。
【００４３】
選局頻度管理部２６は、選局頻度テーブル２６ａを記憶しており、ユーザが番組を選局した頻度に応じてチューナを決定する選局頻度処理を実行する機能部である。ここで、選局頻度処理とは、選局頻度管理部２６及びＭＰＵ１０がプログラムを読み出して実行する処理であり、具体的には、チューナ毎に選局チャンネルの選局回数を読み出し、最も選局回数の低いチャンネルを受信しているチューナを決定する処理である。
【００４４】
また、選局頻度テーブル２６ａは、チャンネル毎に、選局された回数及び視聴された累積時間（以下、適宜「累積視聴時間」という。）を記憶しているテーブルである。一例として、図２（ｂ）に示すように、チャンネル（例えば、「Ａ−ｃｈ」）に対応づけて、選局回数（例えば、「２２」回）と、累積視聴時間（例えば、「２３時間１０分」）とを記憶している。
【００４５】
選局履歴管理部２８は、選局履歴テーブル２８ａを記憶しており、選局された履歴に応じてチューナを決定する選局履歴処理を実行する機能部である。ここで、選局履歴処理とは、選局履歴管理部２８及びＭＰＵ１０がプログラムを読み出して実行する処理であり、具体的には、チューナの中でチャンネルが選局されてから、最も時間が経過したチューナを決定する処理である。
【００４６】
また、選局履歴テーブル２８ａは、チューナの選局チャンネルとともに、当該チューナが選択された時刻を記憶しているテーブルである。一例として、図２（ｃ）に示すように、チューナ（例えば、第１チューナ１２ａを示す「１」）と、チャンネル（例えば、「Ａ−ｃｈ」）と、当該チューナが選択され始めた時刻（以下、適宜「選択時刻」といい、例えば、「１時間１０分」）とを記憶している。
【００４７】
レジュームポイント管理部３０は、レジュームポイントテーブル３０ａを記憶しており、レジュームポイントを管理する機能部である。レジュームポイントとは、具体的には、番組を記録中にチャンネルがユーザにより変更された場合に、変更前のチャンネルと、変更された時間（以下、適宜「レジューム時間」という。）とをいう。
【００４８】
また、レジュームポイントテーブル３０ａは、レジュームポイントを記憶するためのテーブルである。一例として、図２（ｄ）に示すように、変更前の選択チューナ（例えば、「１」）と、当該チューナの選局チャンネル（例えば、「Ａ−ｃｈ」）と、レジューム時間（例えば、「１時間１０分」）とが記憶されている。
【００４９】
チューナ毎予約管理部３４は、受信した番組を記録する為の予約をチューナ毎に管理する機能部である。例えば、記録する番組の開始日時、終了日時、チャンネル、選局するチューナ、記録モード等を予約情報として管理し、当該管理された予約情報に基づいて番組を受信する。そして、受信した番組に対応するストリームデータを記録部２２に記憶させる指示を、ＭＰＵ１０に出力する。
【００５０】
［２．動作］
次に、デジタル記録再生装置１の動作について図を用いて説明する。デジタル記録再生装置１は、電源が投入されると、各機能部が初期化され、さらに内蔵プログラムが呼び出され、呼び出されたプログラムに基づいて各処理が実行される。ここで、デジタル記録再生装置１の代表的な動作処理としてメイン処理について説明する。
【００５１】
［２．１  メイン処理］
メイン処理の動作を示すのが、図３に示すフローチャートである。まず、ＭＰＵ１０は、デフォルト選局処理を実行する。デフォルト選局処理とは、デフォルト選局設定部２４がチューナテーブル２４ａに記憶されている内容を読み出し、読み出された内容に従ってチューナ部１２の各チューナに選局チャンネルを設定する処理である（ステップＳ１０）。例えば、図２（ａ）に示すように、第１チューナに対応するチャンネルとして「Ａ−ｃｈ」が記憶されている場合には、第１チューナ１２ａの選局チャンネルをチューナ選局管理部１６を介して「Ａ−ｃｈ」に設定する。すると、第１チューナ１２ａは、外部アンテナＡＮＴから「Ａ−ｃｈ」に対応する放送信号を受信してＭＵＸ１４に出力する。
【００５２】
続いて、チューナ部１２の各チューナから、選択チューナを決定する（ステップＳ１２）。ここで、選択チューナを決定する方法としては種々の方法が考えられるが、例えば直前に選択チューナとして選択されていたチューナを選択チューナとしたり、第１チューナ１２ａを最初の選択チューナとして決定する等いずれの方法であってもよい。
【００５３】
続いて、ＡＶデコーダ部２０に入力されるチャンネル（以下、適宜「選択チャンネル」という。）の変更操作がなされたか否かを検出する（ステップＳ１４）。ここで、選択チャンネルが変更されると、ＡＶデコーダ部２０から出力される映像信号が他のチャンネルの映像信号に変更されることとなる。また、選択チャンネルが変更されるのは、ユーザにより手動で操作される場合だけではなく、チューナ毎予約管理部３４による予約処理にしたがって選択チャンネルの変更操作がなされる場合等、ユーザが行う操作だけに限定されないものである。
【００５４】
そして、選択チャンネルの変更操作が検出された場合には（ステップＳ１４；Ｙｅｓ）、ＭＰＵ１０は、レジューム状態に移行するか否かを判定する（ステップＳ１６）。そして、レジューム状態に移行する操作がユーザによりなされると（ステップＳ１６；Ｙｅｓ）、ＭＰＵ１０は、レジュームポイントテーブル３０ａを更新記憶する（ステップＳ１８）。具体的には、現在の選択チューナに対応づけて、変更される前のチューナが選局していたチャンネルと、変更された時刻であるレジューム時刻とをレジュームポイントテーブル３０ａに記憶する。また、ＭＰＵ１０は、変更される前のチャンネルに対応するストリームデータを記録部２２に記録する（ステップＳ２０）。
【００５５】
続いて、選択チャンネルが各チューナの選局チャンネルとして設定されているか否かを判定する（ステップＳ２２）。ここで、チューナの選局チャンネルとして選択チャンネルがある場合には（ステップＳ２２；Ｙｅｓ）、選局チャンネルと選択チャンネルが一致するチューナを選択チューナとして決定する（ステップＳ２８）。
【００５６】
他方、選択チャンネルが各チューナの選局チャンネルに設定されていない場合（ステップＳ２２；Ｎｏ）、ＭＰＵ１０は、選択チューナ決定処理を実行する（ステップＳ２４）。ここで、選択チューナ決定処理は、各チューナの中から、一のチューナを選択チューナとして決定する処理である。本実施形態においては、詳細は後述するが、選局頻度処理又は選局履歴処理の何れかが実行されることにより選択チューナが決定する。そして、選択チューナの選局チャンネルを選択チャンネルに変更する（ステップＳ２６）。
【００５７】
続いて、選択チューナの選局チャンネルに基づいて選局頻度テーブル２６ａ及び選局履歴テーブル２８ａを更新する（ステップＳ３０）。具体的には、選局頻度テーブル２６ａについては、選択チャンネルに変更する前の選局チャンネルに基づいて累積視聴時間及び選局回数を更新する。また、選局履歴テーブル２８ａについては、選択チューナに対応するチャンネル及び選局時刻を更新する。
【００５８】
ここで、レジューム状態から復帰する操作がなされると（ステップＳ３２）、レジュームポイントテーブル３０ａに記録されているレジューム時間に遡り、ステップＳ２０において記録されているストリームデータの再生を行ういわゆるタイムシフト再生を実行する（ステップＳ３４）。そして、ステップＳ１４から処理を繰り返し実行する。レジューム状態から復帰する操作としては種々の方法が考えられるが、例えば、変更したチャンネルがレジュームチャンネルと一致するか否かを判定することとしても良いし、ユーザによりレジューム状態から復帰するという操作がなされることとしても良い。
【００５９】
ステップＳ１４において、チャンネルの変更操作がなされていない場合（ステップＳ１４；Ｎｏ）、電源をＯＦＦにする操作がなされたか否かを判定する（ステップＳ３６）。ここで、電源をＯＦＦにする操作がなされた場合には（ステップＳ３６；Ｙｅｓ）、現在各チューナの選局チャンネルに基づいてチューナテーブル２４ａを更新し、メイン処理を終了する（ステップＳ３８）。他方、電源ＯＦＦの操作がなされていない場合には、ステップＳ３２に処理を移行する。
【００６０】
なお、本実施形態では、レジューム状態から復帰場合には、タイムシフト再生を行うこととして説明したが、タイムシフト再生を行わず、復帰した時刻（再度レジュームチャンネルを選局した時刻）から再生することとしても良い。
【００６１】
また、ステップＳ２０においてストリームデータ開始を始めることとして説明したが、それ以前（チャンネル変更操作以前）から記録がされていることとしても良いことは勿論である。
【００６２】
［２．２  選択チューナ決定処理］
それでは、ステップＳ２０において、各チューナの中から選択チューナを決定する処理である選局頻度処理及び選局履歴処理について説明する。選局頻度処理及び選局履歴処理は、ＭＰＵ１０と選局頻度管理部２６又はＭＰＵ１０と選局履歴管理部２８とが処理を読み出して実行する処理である。ここで、どちらの処理を実行するかは、例えばユーザが設定することにより決定しても良いし、工場出荷時にどちらかの処理を利用することとしても良い。また、デジタル記録再生装置１には、両方の処理・機能を搭載する必要はなくどちらか一方の処理のみを備えることとしても良いことは勿論である。
【００６３】
［２．２．１  選局頻度処理］
選局頻度処理について図４のフローチャートを用いて説明する。選局頻度管理部２６は、選局頻度テーブル２６ａから、チューナ毎に選局チャンネルの選局回数を読み出す（ステップＡ１０）。例えば、第１チューナ１２ａの選局チャンネルが「Ａ−ｃｈ」のとき、「Ａ−ｃｈ」の選局回数「２２」回を選局頻度テーブル２６ａ（図２（ｂ））から呼び出す。同様に、第２チューナ１２ｂの選局チャンネルに対応する選局回数、第３チューナ１２ｃの選局チャンネルに対応する選局回数をそれぞれ選局頻度テーブル２６ａから読み出す。
【００６４】
つづいて、選局頻度管理部２６は、読み出された選局回数の中から、最も選局回数の低いチャンネルを決定する（ステップＡ１２）。例えば、図２（ｂ）の選局頻度テーブル２６ａの場合、「Ｃ−ｃｈ」の選局回数が「３」回と最も低いチャンネルであると決定する。
【００６５】
そして、決定されたチャンネルが選局チャンネルであるチューナを選択チューナと決定し（ステップＡ１４）、選局頻度処理を終了する。例えば、「Ｃ−ｃｈ」を受信しているチューナは、チューナテーブル２４ａ（図２（ａ））を参照することにより第３チューナ１２ｃと決定される。
【００６６】
［２．２．２  選局履歴処理］
つづいて、選局履歴処理について図５のフローチャートを用いて説明する。選局履歴管理部２８は、各チューナ毎の選局時刻を選局履歴テーブル２８ａから読み出す（ステップＢ１０）。そして、読み出された選局時刻の中から、最も古い時刻であるチャンネルを決定する（ステップＢ１２）。そして、決定されたチャンネルが選局チャンネルであるチューナを選択チューナとして決定する（ステップＢ１４）。
【００６７】
例えば、図２（ｃ）を参照すると、最も古い選局時刻は「Ｃ−ｃｈ」を受信した「１時０１分」であり、対応する第３チューナ１２ｃを選択チューナとして決定する。
【００６８】
［３．動作例］
続いて、本実施形態におけるデジタル記録再生装置１動作例について説明する。動作例としては、チャンネルが変更された場合の動作についてそれぞれ説明する。
【００６９】
［３．１  チャンネル変更操作］
図６は、第１チューナ１２ａの選局チャンネルが「Ａ−ｃｈ」、第２チューナ１２ｂの選局チャンネルが「Ｂ−ｃｈ」、第３チューナの選局チャンネルが「Ｃ−ｃｈ」の状態であるときの状態を模式的に図である。また、ユーザは時刻「１」分のとき、「Ａ−ｃｈ」が選択チャンネルとして選択されている状態（ＡＶデコーダ部２０によりデコードされて映像信号が出力されている状態）であり、第１チューナ１２ａが選択チューナであることを網掛け表示にて示している図である。
【００７０】
ここで、時刻「７」分の時に、選択チャンネルが「Ａ−ｃｈ」から「Ｂ−ｃｈ」へ変更された場合について説明する。選択チャンネルが変更されると（図３のステップＳ１４；Ｙｅｓ）、ＭＰＵ１０は、選択チャンネルが各チューナの選局チャンネルとして設定されているか否かを判定する（ステップＳ２２）。ここで、選択チャンネル「Ｂ−ｃｈ」は、第２チューナ１２ｂの選局チャンネルであるため（ステップＳ２２；Ｙｅｓ）、第２チューナ１２ｂが選択チューナとして決定される（ステップＳ２８）。
【００７１】
次に、選択チャンネルが変更された場合に、選択チューナ決定処理として選局頻度処理が実行される場合について図７を用いて説明する。図７は、図６と同様に第１チューナ１２ａから第３チューナ１２ｃの選局チャンネルの状態を模式的に示した図である。ここで、時刻「７」分の時に、選択チャンネルが「Ａ−ｃｈ」から「Ｄ−ｃｈ」へと変更されると、ＭＰＵ１０は各チューナの選局チャンネルに「Ｄ−ｃｈ」が設定されているか否かを判定する（ステップＳ２２）。図７を参照すると、「Ｄ−ｃｈ」は選局チャンネルに設定されていないので（ステップＳ２２；Ｎｏ）、選択チューナ決定処理（選局頻度処理）が実行される（ステップＳ２４）。
【００７２】
すると、選局履歴管理部２８は、各チューナにおける選局チャンネルの選局回数を選局頻度テーブル２６ａから読み出す（図４のステップＡ１０）。ここで、図２（ｂ）の選局頻度テーブル２６ａを参照すると、チャンネル「Ｃ−ｃｈ」が選局回数「３」回と最も少ない（ステップＡ１２）。そこで、選局チャンネルの中で選局回数の最も少ない第３チューナ１２ｃを選択チューナとして決定する（ステップＡ１４）。そして、選択チューナである第３チューナ１２ｃの選局チャンネルを選択チャンネル「Ｄ−ｃｈ」に変更する（図３のステップＳ２６）。
【００７３】
また、選択チャンネルが変更された場合に、選択チューナ決定処理として選局履歴処理が実行される場合について図８を用いて説明する。図８では、時刻「１」から時刻「４」までが第３チューナ１２ｃ（選局チャンネル「Ｃ−ｃｈ」）が、時刻「４」から時刻「１０」までが第２チューナ１２ｂ（選局チャンネル「Ｂ−ｃｈ」）が、時刻「１０」から時刻「１３」までが第１チューナ１２ａ（選局チャンネル「Ａ−ｃｈ」）が選択チューナとなっている。
【００７４】
ここで、時刻「１３」において、選択チャンネルとして「Ｄ−ｃｈ」が選択された場合について説明する。この場合、選局履歴管理部２８は、選局履歴テーブル２８ａから、最も古い選局時間であるチャンネルを決定する（図５のステップＢ１２）。ここで、最も古い時刻は「１時０１分」であり、このときの選局チャンネルは「Ｃ−ｃｈ」である。そして、「Ｃ−ｃｈ」を受信しているチューナは第３チューナ１２ｃであるため、第３チューナ１２ｃを選択チューナに決定する（ステップＢ１４）。
【００７５】
［３．２  タイムシフト再生］
続いて、タイムシフト再生について図９を用いて説明する。図９は、第１チューナ１２ａと第２チューナ１２ｂとを示した図である。選択チューナとして第１チューナ１２ａが選択され、第１チューナ１２ａは「Ａ−ｃｈ」を選局チャンネルとしている。
【００７６】
ここで、時刻「７」において、「Ｘ−ｃｈ」を選局する際にレジューム状態に移行する操作がなされると、ＭＰＵ１０は、時刻「７」をレジューム時刻とし、「Ａ−ｃｈ」と併せてレジュームポイントテーブル３０ａに記憶する（ステップＳ１８）。そして、「Ａ−ｃｈ」に対応するストリームデータを記録部２２に記録する（ステップＳ２０）。
【００７７】
そして、時刻「１５」において、再び「Ａ−ｃｈ」が選択され、レジューム状態を復帰する操作がなされると（ステップＳ３２；Ｙｅｓ）、タイムシフト再生を開始する。すなわち、ＭＰＵ１０は、記録部２２に記録された「Ａ−ｃｈ」に対応するストリームデータを読み出す。そして、レジュームポイントテーブル３０ａに記憶されているレジューム時刻「７」からＡＶデコーダ部２０により映像データがデコードされて出力される。
【００７８】
なお、レジューム状態が復帰したか否かの判定については、レジューム状態を復帰させる操作がなされた場合に判定することとしても良いが、例えば、選局前のチャンネルと同一のチャンネルが選局された場合は、レジューム状態を復帰させるものと判定し、タイムシフト再生が行われることとしてもよい。
【００７９】
また、レジューム状態が復帰した場合に、タイムシフト再生が行われることとして説明したが、例えば図１０のように、タイムシフト再生が行われない場合でも良いことは勿論である。すなわち、時刻「１５」のときに、選択チャンネルが「Ｘ−ｃｈ」から「Ａ−ｃｈ」に変わった際に、時刻「７」から時刻「１５」までのストリームデータは記録部２２に記録されているが、時刻「１５」においては、時刻「１５」から始まるストリームデータがデコードされる。
【００８０】
［４．変形例］
上述した各実施形態では、ＢＳデジタル放送、地上波テレビ放送を受信して、記録・再生するデジタル記録再生装置を適用例として説明したが、本発明の記録再生装置は、このような製品に限定されるものではなく、例えば、携帯電話、パソコン、ＰＤＡ（Personal Digital Assistants）などの電子機器全般に適用可能である。
【００８１】
また、本発明を適用することにより、記録再生装置における予約処理について有効に適用することができる。具体的に図１１を用いて説明する。
【００８２】
図１１は、第１チューナ１２ａ、第２チューナ１２ｂの様子の状態を示した図である。ここで、記録再生装置は、「Ａ−ｃｈ」を時刻Ｔ５０まで記録する予約と、「Ｂ−ｃｈ」を時刻Ｔ５２から記録する予約が設定されている。
【００８３】
まず、「Ａ−ｃｈ」についてを記録する場合、時刻Ｔ５０まで記録され、その後終了処理を含めて時刻Ｔ５２まで記録される。そして、「Ｂ−ｃｈ」については、時刻Ｔ５０から選局処理に入り、ストリームデータを記録部２２に記録する。ここで、時刻Ｔ５０において、第１チューナ１２ａが「Ａ−ｃｈ」のストリームデータを記録中であるため、ＭＰＵ１０は他のチューナを選択チューナとして決定する。そして、第２チューナ１２ｂを選択チューナとして決定し、「Ｂ−ｃｈ」に対応するストリームデータを記録部２２に記録する。このように、本実施形態によれば、予約処理においても効率よく選択チューナが決定されるため、番組を正しく記録することができるようになる。
【図面の簡単な説明】
【００８４】
【図１】本実施形態におけるデジタル記録再生装置の構成を示すブロック図である。
【図２】本実施形態における（ａ）チューナテーブル、（ｂ）選局頻度テーブル、（ｃ）選局履歴テーブル、（ｄ）レジュームポイントテーブルのデータ構造の一例を示す図である。
【図３】本実施形態におけるメイン処理の動作フローを示す図である。
【図４】本実施形態における選局頻度処理の動作フローを示す図である。
【図５】本実施形態における選局履歴処理の動作フローを示す図である。
【図６】本実施形態における各チューナの選局状態の概要を示す図である。
【図７】本実施形態における各チューナの選局状態の概要を示す図である。
【図８】本実施形態における各チューナの選局状態の概要を示す図である。
【図９】本実施形態における各チューナの選局状態の概要を示す図である。
【図１０】本実施形態における各チューナの選局状態の概要を示す図である。
【図１１】本実施形態における各チューナの選局状態の概要を示す図である。
【図１２】従来のデジタル記録再生装置の構成を示すブロック図である。
【図１３】従来における各チューナの選局状態の概要を示す図である。
【図１４】従来における各チューナの選局状態の概要を示す図である。
【符号の説明】
【００８５】
１  デジタル記録再生装置
１０  ＭＰＵ
１２  チューナ部
１２ａ  第１チューナ
１２ｂ  第２チューナ
１２ｃ  第３チューナ
１４  ＭＵＸ
１６  チューナ選局管理部
２０  ＡＶデコーダ部
２２  記録部
２４  デフォルト選局設定部
２４ａ  チューナテーブル
２６  選局頻度管理部
２６ａ  選局頻度テーブル
２８  選局履歴管理部
２８ａ  選局履歴テーブル
３０  レジュームポイント管理部
３０ａ  レジュームポイントテーブル
３４  チューナ毎予約管理部
【図１】
0004584063.tif 000002
【図２】
0004584063.tif 000003
【図３】
0004584063.tif 000004
【図４】
0004584063.tif 000005
【図５】
0004584063.tif 000006
【図６】
0004584063.tif 000007
【図７】
0004584063.tif 000008
【図８】
0004584063.tif 000009
【図９】
0004584063.tif 000010
【図１０】
0004584063.tif 000011
【図１１】
0004584063.tif 000012
【図１２】
0004584063.tif 000013
【図１３】
0004584063.tif 000014
【図１４】
0004584063.tif 000015